(57)【要約】      （修正有）【課題】一本の洋傘にて二人使用時に於ける、雨天時・日照り避けの均等化を図ることが可能な洋傘を提供するとともに、その形状、構造を利用したベッド用簡易フード体を提供する。【解決手段】従来等取付角体となっていた、天骨組の取付角を対面状鋭・鈍角とした手段を採用することによって、長方形洋傘ならびに、その形状、構造を利用したベッド用簡易フード体を構成する。傘の天骨組数を４もしくは二本一対とした８本体とし、天骨組の取付角を対面状鋭・鈍角とした。【選択図】図１
2006141952.tif 000002
【特許請求の範囲】
【請求項１】
傘の天骨組数が４若しくは、二本一対とした８本体で、取付角９０°以下の鋭角と９０°以上の鈍角を対面状に配した、長方型洋傘及び、その形状・構造応用したフード。
【発明の詳細な説明】
【発明の詳細な説明】
【技術分野】
【０００１】  洋傘・簡易フード。
【背景技術】
【０００２】  天骨組が等取付角体にて、二人使用際均等に供せ無かった。
【発明が解決しようとする課題】
【０００３】  傘持ち手と相手方均等化し又、その形状体を利用し別目的（フード等）を開拓。
【課題を解決するための手段】
【０００４】  天骨組の取付角を鋭・鈍の対面角にした、略長方形状にて解決。
【発明の効果】
【０００５】  一本の傘にて二人使用際、雨天・日照り避けの均等化図れる。
【発明を実施するための最良の形態】
【０００６】  アベック用洋傘及び、その形状利用しベット用簡易排気フード体とし使用される。
【実施例】
【０００７】  一実施例を図１  写図で示し、説明する。【０００８】  傘芯棒１の天骨組２を４若しくは、二本一対とした８本で構成、その取付角対面状の鋭角３・鈍角４とした略長方形の洋傘及び、その形状利用したベット用排気フード体で有る。
【産業上の利用可能性】
【０００９】  新しい長方型アベック用モダン傘として需要は大きく、別用途（フード）も有る。
【図面の簡単な説明】
【００１０】
【図１】  Ａは、全体洋傘の写図・Ｂは、天骨組の取付角表す写図である。
【符号の説明】
【００１１】  １  芯棒    ２  天骨組    ３  鋭角    ４  鈍角
【図１】
2006141952.tif 000003
【手続補正書】
【提出日】平成17年3月22日(2005.3.22)
【手続補正２】
【補正対象書類名】特許請求の範囲
【補正対象項目名】全文
【補正方法】変更
【補正の内容】
【特許請求の範囲】
【請求項１】
固定式若しくは移動・可動式の肘掛ハンドル両側に、対面下向きに下着類を取り挟む複数本の指体を形成且つ、その部真上に上着裾部かき上げ用可動式指爪体を有し、体側に追随する二個対のガイドローラ備えたハンド部が下先端に有り、バネ力等で内方向に可揺動する上下動するラックバーにて保持、制御モーターにて回動するピニオンギァ部に一体型で吊下げられた着脱装置と上下連動水平状に約180°回動するL字形回転アームが下向き左右対でセット、先端同士は伸縮紐状材にて連結された上着裾部たぐり寄締する装置とが組合され連携制御して成る、福祉トイレ行為用の着脱自助器。
【手続補正３】
【補正対象書類名】明細書
【補正対象項目名】全文
【補正方法】変更
【補正の内容】
【発明の詳細な説明】
【技術分野】
【０００１】
福祉関係のトイレ行為に於ける移動（昇降ハンドル）式、衣服着脱装置に関する。
【背景技術】
【０００２】
身障者・手腕等不自由な方のトイレ行為時に於けるズボン・スカート・下着類の着脱行為等は大変且つ困難で、その様な自立化図る昇降式着脱装置は無かった。
【発明の開示】
【発明が解決しようとする課題】
【０００３】
トイレ行為時の下衣服の自動着脱化と、便座への昇降。
【課題を解決するための手段】
【０００４】
適宜な強度（記憶合金等の芯金入り）且つ、半柔軟性有すラックバーとピニオンギァの機構等で、体側に追随する全方位型ガイドローラ部に、ソフトな掴みハンド装置・上下螺旋式機構のたぐり寄せ締め装置・専用昇降器を組合せ連携制御させて解決。
【発明の効果】
【０００５】
利用者の自立・尊厳化・介助力軽減及び、介護費等の削減化図れる。
【発明を実施するための最良の形態】
【０００６】
在宅・諸施設のトイレ室（主に用足面ドァ）にセットし使用される。
【実施例】
【０００７】
一実施例をイラスト図で示し説明する。
【０００８】
着脱自助器は、昇降器１（可動式肘掛ハンドル２付き）と着脱装置４・たぐり寄締装置５で構成されている。
【０００９】
可動式肘掛ハンドル２は、立位体の脇下高さで壁面に固定又は、トイレドァ取付式自立介助器（出願番号  特願2004-264689）のハンドルで、ハンドル左右は、同時内動する歯車方式の歯合部３（駆動モーター内蔵）構造体。
【００１０】
着脱装置４は、肘掛ハンドル１に身体立位にて肘掛けした際の両側部外側に対面で吊り下げ式に取付けられ、上下動は、ラックピニオン式電動アクチュエータ６（又は、空・油圧式）のラックバー７下先端部が内方向に可揺動する様クロスジョイント９に取付けられラックバー７は、記憶合金等の芯金入り半柔軟性の樹脂製等で有る。
【００１１】
ラックバー７下先端には、全方位型体側ガイドローラ10が前後二個対で内角に一体的に構成、その部内側に上着の裾部かき上げする電動式かき上げ指爪11又、下方向きにズボン・スカート・下着類をキャッチングさせる二本のミニ電動式挟み指12にて構成され、歯合部３・アクチュエータ６とその各指体（11・12）・たぐり寄締装置４（段落番号0012）は、プログラムにて作動、指体も必要適宜なキャッチング力もち、ハイレベルの安全性を考慮した連動負荷検知式制御法で肌接触面部等もソフト且つ、滑り性有す素材製。
【００１２】
たぐり寄締装置5も、肘掛ハンドル１両先端部に下方向対面で取付けた単純機構で有り、  軸上下半回転ロッド13に、連結一体型（ロッドシリンダー式）L字形のロッドアーム14が有る、その最先端同士は、適宜長の細幅伸縮ゴム紐15で連結、軸上下半回転ロッド13は、ロッドアーム14先端部が外方向に約180°半回転し同時螺旋的に軸が連動して上下動16（たぐり寄締時下動・抜き外し時上動）する。
【００１３】
使用時の全体連動状況等の動きを説明する。
固定式は、１．立位状態で肘掛ハンドル内に入る。
２．たぐり寄締装置5を外側に約90°回動させる。
３．肘掛すると歯合部3が内方向に作動し軽く脇締めする。
４．連動して着脱装置4も内方向に動き、体側ガイドローラ10が身体（衣服）に接し、ラックバー7が（リターンバネ8にて体側に追随）上動、この時上着の裾部が下着の外にある場合、かき上げ指爪11で拾い下着上端以上の所で止まり裾部をチャキングする。
５．ラックバー7今度は下動し、下着胴廻りの縁部を二本の挟み指12（ミニシリンダー17作動等）にてチャッキングしつつ、下着を挟みながら脱衣され、挟み指12閉じたまま歯合部3を解除（身体レベル・便器便座の配置状況等にも因るが、この状況にてトイレ排泄行為済ます）。
（可動式時）６．出願済みトイレドァ取付型自立介助器（特願2004-264689）の可動式肘掛ハンドル２に取付けた際は、５.途中の歯合部２解除しないで、自動降下し便座に着座、用足し後立位体に自動上昇。
７．かき上げ指爪11を解除。
８．下着衣服着装は、たぐり寄締装置5を再開、全回動し上着裾廻り全体を細幅伸縮ゴム紐15でたぐり寄締めする。
９．着脱装置4動かし、ラックバー7作動させ上昇させ下着類の着装を完了させ、挟み指12解除し下着部から外す。
10. 歯合部3解除し肘掛けハンドル2を広げる。
11. たぐり寄締装置5を解除戻しゴム紐15を前方に同時に、ロッドアーム14軸上動緩める。
12. 肘掛ハンドル2内から出る。
13. ラックバー7を下降させる。
以上の動作を連携連続的に行う昇降式着脱自助器であるが、ズボン・スカート類のファスナー・ボタン止め・ベルト締めは不可であくまでも福祉向けで伸縮性のものに限る又、同装置の駆動回転・チャッキング部等は、電動・空圧・油圧・ロッドワイヤー（メカ）方式等も考えられるが限定したものでは無い又、身体障害状況にて本装置取付け左右の何れか一方とする方法も有る。
【産業上の利用可能性】
【００１４】
平等なるユニバーサル・福祉社会めざすに又、自立・尊厳化等図るに、安全安価な着脱自助器への需要は、国内のみならず全世界又、悲惨な戦時国等の当発明装置を必要とする被災者等へも貢献できると考える。
【図面の簡単な説明】
【００１５】
【図１】全体現わすイラスト図。
【図２】（参考資料：本発明を簡明に示す為の写図で、 収格納時の状態。）
【図３】（チャッキング指＝指爪含む部の写図で有る。）（※  申出る、図2・3に於いての写図認められ無きは、職権にて削除願いたい。）
【符号の説明】
【００１６】
１    昇降器
２    可動式肘掛ハンドル
３    歯合部
４    着脱装置
５    たぐり寄締装置
６    電動アクチュエータ
７    ラックバー
８    リターンバネ
９    クロスジョイント
10    ガイドローラ
11    かき上げ指爪
12    挟み指
13    軸上下半回転ロッド
14    ロッドアーム
15    ゴム紐
16    上下動
17    ミニシリンダー
【手続補正４】
【補正対象書類名】図面
【補正対象項目名】全図
【補正方法】変更
【補正の内容】
【図１】
2006141952.tif 000004
【図２】
2006141952.tif 000005
【図３】
2006141952.tif 000006
【手続補正書】
【提出日】平成17年5月2日(2005.5.2)
【手続補正１】
【補正対象書類名】明細書
【補正対象項目名】００１３
【補正方法】変更
【補正の内容】
【００１３】
使用時の全体連動状況等の動きを説明する。
固定式は、
１．立位状態で肘掛ハンドル内に入る。
２．たぐり寄締装置5を外側に約90°回動させる。
３．肘掛すると歯合部3が内方向に作動し軽く脇締めする。
４．連動して着脱装置4も内方向に動き、体側ガイドローラ10が身体（衣服              ）に接し、ラックバー7が（リターンバネ8にて体側に追随）上動、この時
上着の裾部が下着の外にある場合、かき上げ指爪11で拾い下着上端以上の
所で止まり裾部をチャキングする。
５．ラックバー7今度は下動し、下着胴廻りの縁部を二本の挟み指12（ミニ
シリンダー17作動等）にてチャッキングしつつ、下着を挟みながら脱衣さ
れ、挟み指12閉じたまま歯合部3を解除（身体レベル・便器便座の配置状
況等にも因るが、この状況にてトイレ排泄行為済ます）。
（可動式時）６．出願済みトイレドァ取付型自立介助器（特願2004-264689）の可動式肘
掛ハンドル２に取付けた際は、（５．途中の歯合部２解除しないで）自動              降下し便座に着座、用足し後立位体に自動上昇座、用足し後立位体に自動              上昇。
７．かき上げ指爪11を解除。
８．下着衣服着装は、たぐり寄締装置5を再開、全回動し上着裾廻り全体を
細幅伸縮ゴム紐15でたぐり寄締めする。
９．着脱装置4を動かし、ラックバー7を作動し上昇させた上、下着類の着
装を完了させる。挟み指12解除し下着部から外す。
10. 歯合部3解除し肘掛けハンドル2を広げる。
11. たぐり寄締装置5を解除戻しゴム紐15を前方に同時に、ロッドアーム
14軸上動緩める。
12. 肘掛ハンドル2内から出る。
13. ラックバー7を下降させる。
以上の動作を連携連続的に行う昇降式着脱自助器であるが、ズボン・スカート類のファスナー・ボタン止め・ベルト締めは不可であくまでも福祉向けで伸縮性のものに限る又、同装置の駆動回転・チャッキング部等は、電動・空圧・油圧・ロッドワイヤー（メカ）方式等も考えられるが限定したものでは無い又、身体障害状況にて本装置取付け左右の何れか一方とする方法も有る。
肘掛ハンドル２に取付けた際は、（５．途中の歯合部２解除しないで）自動降下し便座に着座、用足し後立位体に自動上昇座、用足し後立位体に自動上昇。